(57)【要約】【課題】通電を維持するときの用の電量を減少する、高圧を起動し低圧によって通電を保持する電磁始動器を提供する。【解決手段】スイッチ装置１０１を通して、可変出力電圧の電源装置１００に対して電磁始動器１０２に設置する駆動コイル１０２’を制御し、より高い電圧の電気エネルギーを入力し、駆動コイル１０２’を通電起動することによって、電磁始動器１０２により大きい電磁効果の作用力を起動させ、起動後、更にスイッチの制御を通して、電源装置１００からより低い電圧の電気エネルギーを出力するように切換え、駆動コイル１０２’の励磁通電を保持することによって、駆動コイル１０２’の総電流を減少させ、一方、依然として電磁始動器１０２が通電始動後に必要な作動特性を満足することによって、電気エネルギーを節約し、熱損害を低減する。【選択図】図１
2011015542.tif 000002
【特許請求の範囲】
【請求項１】
高圧を起動し、低圧によって通電を保持する電磁始動器であって、スイッチ装置を通して、可変出力電圧の電源装置に対して前記電磁始動器に設置する駆動コイルを制御し、より高い電圧の電気エネルギーを入力し、前記駆動コイルを通電起動することによって、前記電磁始動器により大きい電磁効果の作用力を起動させ、起動後、更にスイッチの制御を通して、前記電源装置からより低い電圧の電気エネルギーを出力するように切換え、前記駆動コイルの励磁通電を保持することによって、前記駆動コイルの総電流を減少させ、依然として電磁始動器が通電始動後に必要な作動特性を満足することによって、電気エネルギーを節約し、熱損害を低減し、
前記可変出力電圧の電源装置（１００）、前記スイッチ装置（１０１）及び前記電磁始動器（１０２）を備え、
前記可変出力電圧の電源装置（１００）は、電源供給閉連機能及び電圧電流制御機能の電機或いは電子コンポネント、或いはマイクロプロセッサ及び閉連ソフトウェアによって構成されてもよく、入力側に直流或いは交流電気エネルギー（ＶＩＮ）を入力し、前記スイッチ装置（１０１）の制御に合わせて、より高い電圧の直流或いは交流電気エネルギー（ＶＨ）またはより低い電圧の直流または交流電気エネルギー（ＶＬ）または半波或いは全波或いは衝撃波の直流電気エネルギー（ＶＬ）を出力し、前記可変出力電圧の電源装置（１００）の入力側より入力する直流或いは交流電圧（ＶＩＮ）とより高い電圧の直流或いは交流電気エネルギー出力（ＶＨ）と、より低い電圧の直流或いは交流電気エネルギー出力（ＶＬ）との電圧閉係は、直流或いは交流電圧（ＶＩＮ）＞より高い電圧の直流或いは交流電気エネルギー（ＶＨ）＞より低い電圧の直流または交流電気エネルギー（ＶＬ）、或いは、より高い電圧の直流或いは交流電気エネルギー（ＶＨ）＞直流或いは交流電圧（ＶＩＮ）＞より低い電圧の直流或いは交流電気エネルギー出力（ＶＬ）、或いは、より高い電圧の直流或いは交流電気エネルギー（ＶＨ）＞より低い電圧の直流または交流電気エネルギー（ＶＬ）＞直流或いは交流電圧（ＶＩＮ）、或いは、直流或いは交流電圧（ＶＩＮ）＝より高い電圧の直流或いは交流電気エネルギー（ＶＨ）＞より低い電圧の直流或いは交流電気エネルギー出力（ＶＬ）、或いは、より高い電圧の直流或いは交流電気エネルギー（ＶＨ）＞直流或いは交流電圧（ＶＩＮ）＝より低い電圧の直流または交流電気エネルギー（ＶＬ）であり、
前記スイッチ装置（１０１）は、人力、機械力、流力、電気エネルギーで操作する電気機械スイッチ、リレー、電磁スイッチ、固相スイッチ装置によって構成され、人力、機械力、流力、電気エネルギーの操作を制御することにより、交流或いは直流電気エネルギーを前記電磁始動器（１０２）に設置する駆動コイル（１０２’）へ輸送し、通電或いは断電のスイッチ機能を操作し、或いは前記スイッチ装置（１０１）を通して切換えを行い、前記電源装置（１００）が電磁始動器の前記駆動コイル（１０２’）に対して、まずより高い電圧の直流或いは交流電気エネルギー（ＶＨ）を入力して前記駆動コイル（１０２’）を通電起動し、より大きい励磁電流（Ｉａ）を通過させ、前記駆動コイル（１０２’）に対してより高い電圧の直流或いは交流電気エネルギー（ＶＨ）を入力して励磁通電を起動後、更に前記スイッチ装置（１０１）の制御を通して、前記可変出力電圧の電源装置（１００）からより低い電圧の直流或いは交流電気エネルギー（ＶＬ）の出力に切換え、前記駆動コイル（１０２’）へ入力し、より低い電圧によってより小さい励磁電流（Ｉｂ）を供給して前記駆動コイル（１０２’）を通過させ、励磁通電を保持し、前記駆動コイル（１０２’）に対してより低い電圧の直流或いは交流電気エネルギー（ＶＬ）を入力し、通電を保持するとき、前記駆動コイルの総電流を減少させ、一方その電磁効果の作用力は、依然として電磁始動器が通電始動後に必要な作動特性を確保することによって、電気エネルギーを節約し、電磁始動器の発熱を低減し、
前記電磁始動器（１０２）は、交流或いは直流電気エネルギーの前記駆動コイル（１０２’）を設置し、電磁始動効果がある駆動コイルを有する電磁始動器であり、或いは駆動コイルによって駆動されるか或いは人力或いは機械力によって制御される多方式操作可能な電磁始動器であって、前記スイッチ装置（１０１）を通して、前記可変出力電圧の電源装置（１００）が前記電磁始動器（１０２）の前記駆動コイル（１０２’）を制御し、より高い電圧の直流或いは交流電気エネルギー（ＶＨ）を入力して励磁通電を起動し、起動後、更に前記可変出力電圧の電源装置（１００）によって、より低い電圧の直流或いは交流電気エネルギー（ＶＬ）の出力に切換え、前記駆動コイル（１０２’）の励磁通電を保持することによって、電気エネルギーを節約し、発熱を低減し、前記電磁始動器（１０２）により低い電圧の直流或いは交流電気エネルギー（ＶＬ）を入力し、前記駆動コイル（１０２’）の励磁通電を保持するとき、その電磁効果の作用力は、依然として電磁始動器が通電始動後に必要な作動特性を満足することによって、電気エネルギーを節約し、熱損害を減少することを特徴とする電磁始動器。
【請求項２】
前記電磁始動器（１０２）に設置する前記駆動コイル（１０２’）により高い電圧の直流或いは交流電気エネルギー（ＶＨ）を入力して励磁通電を起動した後、前記スイッチ装置（１０１）の制御を通して、前記可変出力電圧の電源装置（１００）から出力する直流或いは交流電気エネルギーをより低い電圧の直流或いは交流電気エネルギー（ＶＬ）の出力に切換え、前記駆動コイル（１０２’）を入力して励磁通電を保持するとき、その切換方式は、
人工で前記スイッチ装置（１０１）を順に操作することによって、前記可変出力電圧の電源装置（１００）が前記駆動コイル（１０２’）へ輸送する電気エネルギーを制御し、より高い電圧の直流或いは交流電気エネルギー（ＶＨ）を入力して励磁を起動後、更により低い電圧の直流或いは交流電気エネルギー（ＶＬ）の入力に切換え、励磁通電を保持するか、
或いは、前記スイッチ装置（１０１）によって時間遅延機能の制御を操作し、前記可変出力電圧の電源装置（１００）が前記駆動コイル（１０２’）へ輸送する電気エネルギーを制御し、より高い電圧の直流或いは交流電気エネルギー（ＶＨ）を入力して励磁を起動後、時間遅延にしてから更により低い電圧の直流或いは交流電気エネルギー（ＶＬ）の入力に切換え、前記駆動コイル（１０２’）の励磁通電を保持するか、
或いは、前記スイッチ装置（１０１）を通過し、前記駆動コイル（１０２’）へ輸送する電流値の検査測定を通して、前記可変出力電圧の電源装置（１００）からより高い電圧の直流或いは交流電気エネルギー（ＶＨ）を出力することによって、前記電磁始動器（１０２）の前記駆動コイル（１０２’）に対する通電起動の励磁電流値が設定電流値より大きいか等しいとき、或いは設定電流値より大きい或いは等しい状態が設定時間を超えたとき、前記スイッチ装置（１０１）が駆動され、前記可変出力電圧の電源装置（１００）から前記駆動コイル（１０２’）へ輸送する電気エネルギーを制御し、より低い電圧の直流或いは交流電気エネルギー（ＶＬ）の出力に切換え、前記駆動コイル（１０２’）の励磁通電を保持するか、
或いは、上述の切換方式の中の二種類或いは二種類以上の方式によって前記スイッチ装置（１０１）の駆動を制御することを特徴とする請求項１に記載の電磁始動器。
【請求項３】
前記電磁始動器（１０２）に設置する前記駆動コイル（１０２’）は、より高い電圧の直流或いは交流電気エネルギー（ＶＨ）を入力することによって前記駆動コイル（１０２’）の励磁通電を起動し、より低い電圧の直流或いは交流電気エネルギー（ＶＬ）に切換え、前記駆動コイル（１０２’）の励磁通電を起動する切換方式は、更に前記電磁始動器（１０２）の移動体と静止体とが相対的に始動後の安定位置或いは始動過程中の選定位置に位置検知装置（１０５）を設置し、前記電磁始動器（１０２）が前記駆動コイル（１０２’）により高い電圧の直流或いは交流電気エネルギー（ＶＨ）を入力し、安定位置或いは始動過程中の選定位置に駆動されてから、前記位置検知装置（１０５）によって、前記可変出力電圧の電源装置（１００）を直接切換え、より低い電圧の直流或いは交流電気エネルギー（ＶＬ）を出力し、前記駆動コイル（１０２’）の励磁通電を保持し、或いは前記位置検知装置（１０５）を通して前記スイッチ装置（１０１）を制御し、前記電磁始動器（１０２）が前記駆動コイル（１０２’）により高い電圧の直流或いは交流電気エネルギー（ＶＨ）を入力するとき、安定位置或いは始動過程中の選定位置に駆動されてから、前記位置検知装置（１０５）によって前記スイッチ装置（１０１）を制御し、更に前記可変出力電圧の電源装置（１００）をより低い電圧の直流或いは交流電気エネルギー（ＶＬ）の出力に切換え、前記駆動コイル（１０２’）の励磁通電を保持し、
前記位置検知位置（１０５）は圧力タッチ式電気機械スイッチ装置、或いは受圧リード起動式スイッチによって構成され、或いは光学式、電磁感応式、キャパシティブセンサー、或いはその他よく使われる位置検知装置によって構成されてもよく、必要に応じて設置或いは非設置の選択が可能であることを特徴とする請求項１に記載の電磁始動器。
【請求項４】
前記電磁始動器（１０２）の駆動電気エネルギーの入力形態によって、交流の突入電流吸收装置（１０３）、直流の突入電流吸收装置（１１３）、汎用型突入電流吸收装置（１２３）の設置を選択することが可能で、前記駆動コイルに並列接続し、前記スイッチ装置（１０１）で前記駆動コイル（１０２’）を開閉させ、或いはより高い電圧の直流或いは交流電気エネルギー（ＶＨ）を入力して前記駆動コイル（１０２’）を通電起動させ、或いはより低い電圧の直流或いは交流電気エネルギー（ＶＬ）の出力に切換え、前記駆動コイル（１０２’）への輸送によって励磁を保持するとき、前記駆動コイル（１０２’）に入力する交流電気エネルギー或いは直流電気エネルギーによって、交流の突入電流吸收装置（１０３）或いは直流の突入電流吸收装置（１１３）或いは汎用型突入電流吸收装置（１２３）の配置を選択し、駆動コイル（１０２’）に形成するインダクタの逆起電力の吸収に協力し、前記突入電流吸収装置の構成は、
前記駆動コイル（１０２’）の電気エネルギーが交流電気エネルギーであるとき、前記交流の突入電流吸収装置（１０３）の設置は、双極性固相バリスタによって構成され、或いはインピーダー、インダクタ、双極性コンデンサの中の少なくとも二種類のコンポネントを直列、並列、直並列に接続することによって構成され、或いは単独に双極性コンデンサによって構成され、或いはその他よく使われる交流の突入電流吸収回路装置によって構成され、
或いは、前記駆動コイル（１０２’）の電気エネルギーが直流電気エネルギーであるとき、前記直流の突入電流吸収装置（１１３）の配置は、逆極性並列接続するダイオードによって、エネルギー貯蔵効果のフリーホイールダイオードを構成し、或いはインピーダー、インダクタ、単極性或いは双極性コンデンサの中の少なくとも二種類のコンポネントを直列、並列、直並列に接続することによって構成され、或いは単独に単極性或いは双極性コンデンサによって構成され、或いは固相バリスタによって構成され、或いはその他よく使われる直流の突入電流吸収回路装置によって構成され、
或いは、前記駆動コイル（１０２’）の電源が、交流と直流電気エネルギーの混用であるとき、交流の突入電流電気エネルギー及び直流の突入電流電気エネルギー吸收可能な前記汎用型突入電流吸收装置（１２３）の配置は、インピーダー、インダクター、双極性コンデンサの中の少なくとも二種類のコンポネントの直列接続または並列接続または直並列接続によって構成され、或いは単独に双極性コンデンサによって構成され、或いは双極性固相バリスタによって構成され、或いはその他よく使われる汎用型突入電流吸收回路装置によって構成され、
前記突入電流吸収装置はニーズによって、設置或いは非設置を選択することを特徴とする請求項１に記載の電磁始動器。
【請求項５】
直流或いは交流駆動コイルの電磁始動器を設置し、常閉型或いは常開型電磁制動器、常閉型或いは常開型電磁クラッチ、常閉型或いは常開型電磁スイッチ、常閉型或いは常開型電磁リレー、常閉型或いは常開型電磁バルブ等が適用されてもよく、電気磁石、電磁ロック、螺旋管コイルまたは、その他電磁始動効果がある駆動コイルを備える電磁始動器への応用してもよく、或いは駆動コイルによって駆動されるか人力或いは機械力によって制御される多方式操作可能な電磁始動器であることを特徴とする請求項１に記載の電磁始動器。
【発明の詳細な説明】
【技術分野】
【０００１】
本発明は電磁始動器に関し、特に直流或いは交流駆動コイルに対して、電磁始動効果を生じる電磁始動器によって、スイッチ装置の制御を通し、可変出力電圧の電源装置は電磁始動器に設置する駆動コイルを制御し、より高い電圧の電気エネルギーを入力することによって駆動コイルの通電を起動し、電磁始動器起動後、更にスイッチ装置の制御を通して、電源装置からより低い電圧の電気エネルギーを出力するように切換え、駆動コイルの励磁通電を保持し、駆動コイルの総電流を減少させ、依然として電磁始動器が通電始動後の必要な作動特性を満足することによって、電気エネルギーを節約し、熱損害を低減する電磁始動器に関する。
【背景技術】
【０００２】
伝統的な電磁始動器は電気エネルギーを通して、直流或いは交流駆動コイルを通過し、電磁始動効果を生じることによって、電磁始動器を駆動し、もし通電を起動しかつ通電始動状態を保持するとき、通電電源を変更しないなら、必要な通電始動電流の保持はより大きくなり、その欠点は全体の熱損害が大きく、電気エネルギーを浪費することである。
【発明の概要】
【発明が解決しようとする課題】
【０００３】
本発明の目的は、通電維持型の電磁始動器を改善し、例えば電磁クラッチ、電磁制動器、電磁力駆動のリレー、電磁スイッチ、電磁バルブ等の通電を維持するときの用電量を減少することである。
【課題を解決するための手段】
【０００４】
上記目的を達成するため、本発明に係る電磁始動器は、一種の高圧を起動し、低圧によって通電を保持する電磁始動器であって、直流或いは交流駆動コイルが電磁始動器に設置され、スイッチ装置によって制御され、常閉型或いは常開型電磁制動器、常閉型或いは常開型電磁クラッチ、常閉型或いは常開型電磁スイッチ、常閉型或いは常開型電磁リレー、常閉型或いは常開型電磁バルブ等が適用される。また、電磁始動器は、電気磁石、電磁ロック、螺旋コイルまたはその他電磁始動効果のある駆動コイルを有する電磁始動器、或いは駆動コイルによって駆動されるか人力或いは機械力によって制御される多方式操作可能な電磁始動器であって、スイッチ装置を通して、可変出力電圧の電源装置を制御し、電磁始動器に設置する駆動コイルに対して、より高い電圧の電気エネルギーを入力することによって駆動コイルの通電を起動し、電磁始動器により大きい電磁効果の起動力を形成させ、起動後更にスイッチ装置の制御を通して、電源装置からより低い電圧の電気エネルギーを出力するように切換え、駆動コイルの励磁通電を保持し、駆動コイルの総電流を減少させる。このとき、電磁効果の作用力は、依然として電磁始動器が通電始動後に必要な作動特性を満足することによって、電気エネルギーを節約し、熱損害を低減する。
【図面の簡単な説明】
【０００５】
【図１】本発明の第１実施形態による電磁始動器を示す回路ブロック図である。
【図２】本発明の第１実施形態による電磁始動器において、より高い電圧の直流或いは交流電気エネルギーを入力して通電起動する状態を示す模式図である。
【図３】本発明の第１実施形態による電磁始動器、より低い電圧の直流或いは交流電気エネルギーを入力し、駆動コイルの通電を保持する状態を示す模式図である。
【図４】本発明の第２実施形態による電磁始動器を示す回路ブロック図である。
【発明を実施するための形態】
【０００６】
（第１実施形態）
本発明の第１実施形態による電磁始動器は、一種のスイッチ装置を通して、直流或いは交流駆動コイルを設置する電磁始動器を制御し、例えば常閉型或いは常開型電磁制動器、常閉型或いは常開型電磁クラッチ、常閉型或いは常開型電磁スイッチ、常閉型或いは常開型電磁リレー、常閉型或いは常開型電磁バルブが適用されてもよく、また、電気磁石、電磁ロック、螺旋コイルまたはその他電磁始動効果がある駆動コイル有する電磁始動器であって、また或いは駆動コイルによって駆動されるかまたは人力或いは機械力によって制御される多方式操作可能な電磁始動器であって、スイッチ装置を通して、可変出力電圧の電源装置を制御し、電磁始動器に設置する駆動コイルに対して、より高い電圧の電気エネルギーを入力することによって駆動コイルの通電を起動し、電磁始動器がより大きい電磁効果の作用力を起動し、起動後更にスイッチ装置の制御を通して、電源装置からより低い電圧の電気エネルギーを出力するように切換え、駆動コイルの励磁通電を保持し、駆動コイルの総電流を減少させる。このとき、依然として電磁始動器が通電始動後の必要な作動特性を満足することによって、電気エネルギーを節約し、熱損害を低減する。
【０００７】
図１は、本発明の第１実施形態による電磁始動器に駆動コイルを設け、高圧を起動し、低圧によって通電を保持する回路を示すブロック図である。その主な構成を以下に示す。
可変出力電圧の電源装置１００は、電源供給閉連機能及び電圧電流制御機能の電機或いは電子コンポネント、或いはマイクロプロセッサ及び閉連ソフトウェアによって構成される可変出力電圧の電源供給装置１００を含み、その入力側に直流或いは交流電気エネルギーＶＩＮを入力し、スイッチ装置１０１の制御に合わせて、より高い電圧の直流或いは交流電気エネルギーＶＨまたはより低い電圧の直流または交流電気エネルギーＶＬまたは半波または全波または衝撃波の直流電気エネルギーＶＬを出力する。その可変出力電圧の電源装置１００の入力側より入力する直流或いは交流電圧ＶＩＮと、より高い電圧の直流或いは交流電気エネルギー出力ＶＨと、より低い電圧の直流或いは交流電気エネルギー出力ＶＬとの電圧関係は下記の通りである。
【０００８】
（１）ＶＩＮ＞ＶＨ＞ＶＬ；或いは
（２）ＶＨ＞ＶＩＮ＞ＶＬ；或いは
（３）ＶＨ＞ＶＬ＞ＶＩＮ；或いは
（４）ＶＩＮ＝ＶＨ＞ＶＬ；或いは
（５）ＶＨ＞ＶＩＮ＝ＶＬ；
【０００９】
スイッチ装置１０１は、人力、機械力、流力、電気エネルギーで操作する電気機械スイッチ、リレー、電磁スイッチ、固相スイッチ装置によって構成され、人力、機械力、流力、電気エネルギーの操作を制御することにより、交流或いは直流電気エネルギーを電磁始動器１０２に設置する駆動コイル１０２’へ輸送し、通電或いは断電のスイッチ機能を操作し、或いはスイッチ装置１０１を通して切換えを行い、電源装置１００が電磁始動器の駆動コイル１０２’に対して、まずより高い電圧の直流或いは交流電気エネルギーＶＨを入力して駆動コイル１０２’を通電起動し、より大きい励磁電流Ｉａを通過させる。図２は、本発明の第１実施形態による電磁始動器において、より高い電圧の直流或いは交流電気エネルギーＶＨを入力して通電起動する回路を示す模式図を示す。駆動コイル１０２’に対してより高い電圧の直流或いは交流電気エネルギーＶＨを入力して励磁通電を起動後、更にスイッチ装置１０１の制御を通して、可変出力電圧の電源装置１００からより低い電圧の直流或いは交流電気エネルギーＶＬの出力に切換え、駆動コイル１０２’へ入力し、より低い電圧によってより小さい励磁電流Ｉｂを供給して駆動コイル１０２’を通過させ、励磁通電を保持する。図３は、本発明の第１実施形態による電磁始動器において、より低い電圧の直流或いは交流電気エネルギーＶＬを入力し、駆動コイルの通電を保持する回路を示す模式図を示す。駆動コイル１０２’に対してより低い電圧の直流或いは交流電気エネルギーＶＬを入力し、通電を保持するとき、駆動コイルの総電流を減少させ、一方その電磁効果の作用力は、依然として電磁始動器が通電始動後の必要な作動特性を確保することによって、電気エネルギーを節約し、電磁始動器の発熱を減少させる。
【００１０】
本発明の第１実施形態において、高圧を起動し、低圧によって通電を保持する電磁始動器は、その電磁始動器１０２に設置する駆動コイル１０２’により高い電圧の直流或いは交流電気エネルギーＶＨを入力して励磁通電を起動した後、スイッチ装置１０１の制御を通して、可変出力電圧の電源装置１００から出力する直流或いは交流電気エネルギーをより低い電圧の直流或いは交流電気エネルギーＶＬの出力に切換え、駆動コイル１０２’に入力して励磁通電を保持する。その切換方式は以下のいずれかである。
【００１１】
（１）人工でスイッチ装置１０１を順に操作することによって、可変出力電圧の電源装置１００が駆動コイル１０２’へ輸送する電気エネルギーを制御し、それはより高い電圧の直流或いは交流電気エネルギーＶＨを入力して励磁を起動後、更により低い電圧の直流或いは交流電気エネルギーＶＬの入力に切換え、励磁通電を保持する。
（２）スイッチ装置１０１によって時間遅延機能の制御を操作し、可変出力電圧の電源装置１００が駆動コイル１０２’へ輸送する電気エネルギーを制御し、それはより高い電圧の直流或いは交流電気エネルギーＶＨを入力して励磁を起動後、時間遅延にしてから更により低い電圧の直流或いは交流電気エネルギーＶＬの入力に切換え、駆動コイル１０２’の励磁通電を保持する。
【００１２】
（３）スイッチ装置１０１を通過し、駆動コイル１０２’へ輸送する電流値の検査測定を通して、可変出力電圧の電源装置１００からより高い電圧の直流或いは交流電気エネルギーＶＨを出力することによって、電磁始動器１０２の駆動コイル１０２’に対する通電、起動の励磁電流値が設定電流値より大きいか等しいとき、或いは設定電流値より大きい或いは等しい状態が設定時間を超えたとき、スイッチ装置１０１が駆動され、可変出力電圧の電源装置１００から駆動コイル１０２’へ輸送する電気エネルギーを制御し、より低い電圧の直流或いは交流電気エネルギーＶＬの出力に切換え、駆動コイル１０２’の励磁通電を保持する。
（４）上述（１）（２）（３）の中の二種類或いは二種類以上の方式によってスイッチ装置１０１の駆動を制御する。
【００１３】
電磁始動器１０２は、交流或いは直流電気エネルギーの駆動コイル１０２’を設置し、よく使われる常閉型或いは常開型電磁制動器、常閉型或いは常開型電磁クラッチ、常閉型或いは常開型電磁スイッチ、常閉型或いは常開型電磁リレー、常閉型或いは常開型電磁バルブ等の装置構造が適用されてもよく、また、電気磁石、電磁ロック、螺旋コイルまたは、その他電磁始動効果がある駆動コイルを有する電磁始動器であり、また或いは駆動コイルによって駆動されるかまたは人力或いは機械力によって制御される多方式操作可能な電磁始動器であって、スイッチ装置１０１を通して、可変出力電圧の電源装置１００が電磁始動器１０２の駆動コイル１０２’を制御し、より高い電圧の直流或いは交流電気エネルギーＶＨを入力して励磁通電を起動する。起動後、更に可変出力電圧の電源装置１００によって、より低い電圧の直流或いは交流電気エネルギーＶＬの出力に切換え、駆動コイル１０２’の励磁通電を保持することによって、電気エネルギーを節約し、発熱を低減する。電磁始動器１０２により低い電圧の直流或いは交流電気エネルギーＶＬを入力し、駆動コイル１０２’の励磁通電を保持するとき、その電磁効果の作用力は、依然として電磁始動器が通電始動後に必要な作動特性を満足することによって、電気エネルギーを節約し、熱損害を低減する。
【００１４】
交流の突入電流吸收装置１０３、直流の突入電流吸收装置１１３及び汎用型突入電流吸收装置１２３は、電磁始動器１０２の駆動電気エネルギーの入力形態によって、交流の突入電流吸收装置１０３、直流の突入電流吸收装置１１３、汎用型突入電流吸收装置１２３の設置を選択することが可能であり、駆動コイルに並列接続し、スイッチ装置１０１で駆動コイル１０２’を開閉させ、或いはより高い電圧の直流或いは交流電気エネルギーＶＨを入力して駆動コイル１０２’を通電起動させ、或いはより低い電圧の直流或いは交流電気エネルギーＶＬの出力に切換え、駆動コイル１０２’への輸送によって励磁を保持するとき、駆動コイル１０２’に入力する交流電気エネルギー或いは直流電気エネルギーによって、交流の突入電流吸收装置１０３、直流の突入電流吸收装置１１３或いは汎用型突入電流吸收装置１２３の配置を選択し、駆動コイル１０２’に形成するインダクタの逆起電力の吸収に協力する。第１実施形態の突入電流吸収装置の構成を以下に示す。（１）駆動コイル１０２’の電気エネルギーが交流電気エネルギーであるとき、交流の突入電流吸収装置１０３の設置は、双極性固相バリスタ（ｖａｒｉｓｔｏｒ）によって構成され、或いはインピーダー、インダクタ、双極性コンデンサの中の少なくとも二種類のコンポネントを直列、並列、直並列に接続することによって構成され、或いは単独に双極性コンデンサによって構成され、或いはその他よく使われる交流の突入電流吸収回路装置によって構成される。（２）駆動コイル１０２’の電気エネルギーが直流電気エネルギーであるとき、直流の突入電流吸収装置１１３の配置は、逆極性並列接続するダイオードによって、エネルギー貯蔵効果のフリーホイールダイオードを構成し、或いはインピーダー、インダクタ、単極性或いは双極性コンデンサの中の少なくとも二種類のコンポネントを直列、並列、直並列に接続することによって構成され、或いは単独に単極性或いは双極性コンデンサによって構成され、或いは固相バリスタによって構成され、或いはその他よく使われる直流の突入電流吸収回路装置によって構成される。（３）駆動コイル１０２’の電源が、交流と直流電気エネルギーの混用であるとき、交流の突入電流電気エネルギー及び直流の突入電流電気エネルギー吸收可能な汎用型突入電流吸收装置１２３の配置は、インピーダー、インダクター、双極性コンデンサの中の少なくとも二種類のコンポネントの直列接続または並列接続または直並列接続によって構成され、或いは単独に双極性コンデンサによって構成され、或いは双極性固相バリスタ、或いはその他よく使われる汎用型突入電流吸收回路装置によって構成される。これらの装置は必要に応じて設置或いは非設置の選択が可能である。
【００１５】
（第２実施形態）
本発明の第２実施形態による高圧を起動し、低圧によって通電を保持する電磁始動器において、その電磁始動器１０２に設置する駆動コイル１０２’が、より高い電圧の直流或いは交流電気エネルギーＶＨを入力することによって駆動コイル１０２’の励磁通電を起動し、より低い電圧の直流或いは交流電気エネルギーＶＬに切換え、駆動コイル１０２’の励磁通電を起動する切換方式は、更に図４に示すように、電磁始動器に位置検知装置を設置することを通して、駆動コイルに入力する励磁電源を制御する。電磁始動器１０２の移動体と静止体が相対的に始動後の安定位置或いは始動過程中の選定位置に位置検知装置１０５を設置し、電磁始動器１０２が駆動コイル１０２’により高い電圧の直流或いは交流電気エネルギーＶＨを入力し、安定位置或いは始動過程中の選定位置に駆動されてから、位置検知装置１０５によって、可変出力電圧の電源装置１００を直接切換え、より低い電圧の直流或いは交流電気エネルギーＶＬを出力し、駆動コイル１０２’の励磁通電を保持してもよい。或いは位置検知装置１０５を通してスイッチ装置１０１を制御し、電磁始動器１０２がその駆動コイル１０２’により高い電圧の直流或いは交流電気エネルギーＶＨを入力するとき、安定位置或いは始動過程中の選定位置に駆動されてから、位置検知装置１０５によってスイッチ装置１０１を制御し、更に可変出力電圧の電源装置１００をより低い電圧の直流或いは交流電気エネルギーＶＬの出力に切換え、駆動コイル１０２’の励磁通電を保持してもよい。
【００１６】
第２実施形態にかかる位置検知位置１０５は、圧力タッチ式電気機械スイッチ装置、或いは受圧リード起動式スイッチによって構成され、或いは光学式、電磁感応式、キャパシティブセンサー、或いはその他よく使われる位置検知装置によって構成されることが可能である。この装置は必要に応じて設置或いは非設置の選択が可能である。
上述をまとめて見ると、本発明の実施形態による高圧を起動し、低圧によって通電を保持する電磁始動器は、スイッチ装置１０１を通して、可変出力電圧の電源装置１００に対して電磁始動器１０２に設置する駆動コイル１０２’を制御し、より高い電圧の直流或いは交流電気エネルギーＶＨを入力し、駆動コイル１０２’を励磁することによって、電磁始動器によって、より大きい電磁効果の起動力を形成させ、起動後、スイッチ装置１０１を通して制御し、可変出力電圧の電源装置１００をより低い電圧の直流或いは交流電気エネルギーＶＬの出力に切換え、駆動コイル１０２’へ入力し、励磁通電を保持することによって、駆動コイル１０２’の総電流を減少させ、一方その電磁効果の作用力は、依然として電磁始動器が通電始動後に必要な作動特性を満足することができ、電気エネルギーを節約し、熱損害を低減する。
【符号の説明】
【００１７】
１００：可変出力電圧の電源装置、１０１：スイッチ装置、１０２：電磁始動器、１０３：交流の突入電流吸收装置、１０５：位置検知装置、１１３：直流の突入電流吸收装置、１２３：汎用突入電流吸收装置、１０２’：駆動コイル、Ｉａ：より大きい励磁電流、Ｉｂ：より小さい保持電流、ＶＨ：より高い電圧の直流或いは交流電気エネルギー、ＶＩＮ：直流或いは交流電圧、ＶＬ：より低い電圧の直流或いは交流電気エネルギー
【図１】
2011015542.tif 000003
【図２】
2011015542.tif 000004
【図３】
2011015542.tif 000005
【図４】
2011015542.tif 000006